(57)【要約】【課題】入力装置に対し、操作性を低下させずに、利用者の入力操作を第三者によって盗み見られることを防ぐ構造体を実現する。【解決手段】入力装置を操作するための所定の空間を有して、当該入力装置を覆うように形成された透明なカバー部材と、所定の角度からの光を透過させ、その他の角度からの光を吸収または遮蔽する着色された光学フィルムと、を備え、前記光学フィルムは、前記入力装置の利用者が前記入力装置の操作部分が見えるように、前記カバー部材上に形成されている、ことを特徴とする構造体。【選択図】      図２
2015036852.tif 000002
【特許請求の範囲】
【請求項１】
入力装置を操作するための所定の空間を有して、当該入力装置を覆うように形成された透明なカバー部材と、
所定の角度からの光を透過させ、その他の角度からの光を吸収または遮蔽する着色された光学フィルムと、を備え、
前記光学フィルムは、前記入力装置の利用者が前記入力装置の操作部分が見えるように、前記カバー部材上に形成されている、ことを特徴とする構造体。
【請求項２】
前記光学フィルムは、複数の光吸収部材または光遮蔽部材が所定の間隔で連続して配置された構造物を有するルーバフィルムであることを特徴とする、請求項１に記載の構造体。
【請求項３】
前記カバー部材と前記光学フィルムとが一体形成されていることを特徴とする請求項１または２に記載の構造体。
【発明の詳細な説明】
【技術分野】
【０００１】
本発明は、構造体に関する。
【背景技術】
【０００２】
近年、暗証番号等を入力する入力装置に対し、利用者が入力操作を行う際に、利用者の背後等からの盗み見や盗撮カメラなどによって、暗証番号等が盗み見られることを防止する対策が必要になっている。
【０００３】
特許文献１には、暗証番号入力装置に盗撮防止用の可動部材を、カバーの内側に回転自在に設けた構造物が記載されている。
【０００４】
また、特許文献２には、タッチパネルの裏面または表面に視野角調整構造を施し、更に、タッチパネルに表示される要素の位置を変化させる装置が記載されている。
【先行技術文献】
【特許文献】
【０００５】
【特許文献１】特開２００６−１４６６９７号公報
【特許文献２】特開２００７−０８７３５０号公報
【発明の概要】
【発明が解決しようとする課題】
【０００６】
しかしながら、特許文献１の技術では、暗証番号入力装置を覆うカバーが不透明であるため、暗証番号入力装置のキーなどの操作部および利用者の入力操作が利用者から見えない。そのため、押下するキーごとに視点を変えて当該操作部を覗き込む必要がある場合があり、操作性が低下する。
【０００７】
また、不透明なカバーのため、カバー内が暗くなってしまい、カバー内に盗撮カメラを設置しても目視できない死角が出来る可能性がある。
【０００８】
また、特許文献２の技術では、例えば、キーなど位置を変更できない入力装置においては、利用者の入力操作が盗み見られる可能性がある。
【０００９】
本発明は、上記課題に鑑みてなされたものであり、その目的は、入力装置に対し、操作性を低下させずに、利用者の入力操作を第三者によって盗み見られることを防ぐ構造体を実現することにある。
【課題を解決するための手段】
【００１０】
本発明の一態様に係る構造体は、入力装置を操作するための所定の空間を有して、当該入力装置を覆うように形成された透明なカバー部材と、所定の角度からの光を透過させ、その他の角度からの光を吸収または遮蔽する着色された光学フィルムと、を備え、前記光学フィルムは、前記入力装置の利用者が前記入力装置の操作部分が見えるように、前記カバー部材上に形成されている。
【発明の効果】
【００１１】
本発明の構造体によれば、入力装置に対し、操作性を低下させずに、利用者の入力操作を第三者によって盗み見られることを防ぐことができる。
【図面の簡単な説明】
【００１２】
【図１】入力装置を覆うための構造体の一例を示す斜視図である。
【図２】図１に示す構造体の断面の一例を示す模式図である。
【図３】利用者の位置から見た構造体およびテンキーの一例を示す図である。
【図４】利用者以外の角度から見た構造体およびテンキーの一例を示す図である。
【発明を実施するための形態】
【００１３】
本発明の実施の形態について、図面を参照して詳細に説明する。
【００１４】
まず、本発明の構造体の構造について、図１を参照して説明する。図１は、入力装置を覆う構造体１０の一例を示す斜視図である。なお、本実施の形態において、入力装置として、テンキー３を例に挙げて説明を行うが、本発明はこれに限定されるものではない。
【００１５】
図１に示すように、構造体１０は、カバー部材１と、光学フィルム２とを備えている。カバー部材１は、テンキー３を覆うように形成されている。また、カバー部材１は、テンキー３を操作するための所定の空間を有するように形成されている。よって、テンキー３の利用者は、テンキー３に対し、暗証番号等の入力操作を容易に行うことができる。
【００１６】
カバー部材１は、透明な素材でできている。透明な素材とすることにより、カバー部材１の内部の明るさを確保することができる。なお、例えば、カバー部材１の素材としては、樹脂などが例に挙げられるが、本発明はこれに限定されるものではない。また、カバー部材１は、透明でなくてもよく、例えば、カバー部材１の全体がわかるような透明度を有していればよい。これにより、カバー部材１の内部を利用者が確認することができるため、例えば、盗撮カメラ等がカバー部材１の内部に取り付けられていたとしても、容易に当該盗撮カメラを発見することができる。
【００１７】
光学フィルム２は、所定の角度からの光を透過させ、その他の角度からの光を吸収または遮蔽する着色された光学部材である。光学フィルム２は、テンキー３の利用者がテンキー３の操作部分（キーの部分）が見えるように、カバー部材１上に形成されている。光学フィルム２は、例えば、複数の光吸収部材または光遮蔽部材（ルーバ）が所定の間隔で連続して配置された構造物を有するルーバフィルムであるが、本発明はこれに限定されるものではない。
【００１８】
図２は、図１に示す構造体１０の断面の一例を示す模式図である。図２に示すように、光学フィルム２は、利用者４の角度からの光を透過させ、その他の角度からの光を吸収または遮蔽する。そのため、利用者４は、テンキー３の操作部分を見ることができる。この時の、利用者４から見た構造体１０およびテンキー３を図３に示す。図３に示すように、利用者４から見たとき、構造体１０が光を透過させているため、利用者４は、テンキー３の操作部分を容易に見ることができる。したがって、利用者４は、テンキー３の操作を行った場合に、入力装置の操作部分と入力操作とを容易に確認することができる。
【００１９】
一方、光学フィルム２は、利用者４の角度以外の角度からの光を吸収または遮蔽するため、利用者４の角度以外の角度に設置された悪意のある機器（以降、盗撮カメラ５と呼ぶ）や第三者からは、テンキー３の操作部分を見ることができない。この時の構造体１０およびテンキー３を図４に示す。図４は、利用者４以外の角度から見た構造体１０およびテンキー３の一例を示す図である。図４に示すように、利用者４の角度以外の角度に設置された盗撮カメラ５からは、光学フィルム２が光を吸収または遮蔽するため、テンキー３の操作部分を見ることができない。
【００２０】
光学フィルム２は、カバー部材１に、図示しない透明な接着剤などを用いて貼り付けられている。光学フィルム２は、図２に示すように、カバー部材１のテンキー３側の面に貼り付けられているが、カバー部材１のテンキー３側とは反対側の面に貼り付けられていてもよい。また、光学フィルム２は、カバー部材１の両面に貼り付けられる構成であってもよい。
【００２１】
光学フィルム２の複数のルーバの向きおよび角度は、利用者４がテンキー３を視認可能となるように構成されている。また、複数のルーバの向きおよび角度は、設置環境に合わせて調整することが可能なものであるとする。これにより、物理的なルーバのようにテンキー３のキーごとに、頭の位置を動かして視点の位置を調整する必要がなく、好適にキーを操作することができる。
【００２２】
また、複数の光学フィルム２を組み合わせてカバー部材１に貼り付ける構成であってもよい。光学フィルム２は、例えば、図２のｙ軸方向に対して可視角度を制限した光学フィルム２と、ｘ軸方向に対して可視角度を制限した光学フィルム２とを組み合わせることにより、より好適に利用者４の角度以外の角度からの光を透過させない構成にすることができる。
【００２３】
（効果）
本実施の形態に係る構造体１０は、テンキー３などの入力装置に対し、操作性および視認性を低下させずに、利用者による暗証番号入力などの入力操作を第三者によって盗み見られることを防ぐことができる。
【００２４】
その理由は、透明なカバー部材１が、入力装置を操作するための所定の空間を有して、当該入力装置を覆うように形成されており、前記入力装置の利用者が前記入力装置の操作部分が見えるように、前記カバー部材上に形成された着色された光学フィルム２が、所定の角度からの光を透過させ、その他の角度からの光を吸収または遮蔽するからである。
【００２５】
カバー部材１が透明であることにより、カバー部材１の内部が明るくなり、良好な視認性を得ることができる。また、カバー部材１の内部に盗撮カメラ等を設置された場合であっても、目視で当該盗撮カメラを発見することができる。
【００２６】
また、物理的なルーバを用いたカバーの場合、当該カバーにスリットを設ける必要があるため、当該カバーの強度を低下させてしまう場合がある。しかしながら、本実施の形態における光学フィルム２は、スリット用の穴を有しないため、構造体１０全体の強度を確保することができる。
【００２７】
また、上記物理的なルーバの場合、入力装置を確認するために、利用者の頭の位置を動かして、利用者の視点の位置を調整する必要がある場合がある。しかしながら、光学フィルム２を用いることにより、視点の位置の調整が不要となるため、好適に入力操作を行うことができる。
【００２８】
また、光学フィルム２が、所定の角度からの光を透過させ、その他の角度からの光を吸収または遮蔽するため、利用者４からは入力装置が可視できるようにし、他の位置からは入力装置が可視できないようにすることができる。よって、操作性および視認性を低下させることなく、利用者による入力操作を盗み見られることをふせぐことができる。また、入力装置の設置環境に柔軟に対応することができる。
【００２９】
なお、本実施の形態では、構造体１０のカバー部材１および光学フィルム２が別個の構成であることを例に説明を行ったが、本発明はこれに限定されるものではない。構造体１０は、カバー部材１と光学フィルム２とが一体形成されたものであってもよい。また、光学フィルム２を、例えば、曲げ加工などにより、テンキー３を覆うように形成して、カバー部材１としてもよい。これにより、より容易に構造体１０を形成することができる。
【００３０】
また、カバー部材１は、テンキー３などの入力装置（被取付部材）と一体形成してもよい。
【００３１】
本発明は、暗証番号入力などの盗撮や盗み見を防止したい機能を有する機器の製造分野に広く利用することができる。
【符号の説明】
【００３２】
１    カバー部材
２    光学フィルム
３    テンキー
４    利用者
５    盗撮カメラ
１０    構造体
【図１】
2015036852.tif 000003
【図２】
2015036852.tif 000004
【図３】
2015036852.tif 000005
【図４】
2015036852.tif 000006